(57)【要約】      （修正有）【課題】水中での泳ぎを多様化させ、より魚へのアピールを強くできるルアーフィッシング用のメタルジグを提供する。【解決手段】主材料よりも比重の軽い素材Ａを背面部に設けることで底面部のキールＢの重心を安定させて上下の姿勢を維持させ、ゆっくりとした釣竿やリールの操作で魚が好む独特な横揺れを起こすルアーの、先端部から中央部までを底面側に緩やかな山状に湾曲させ、中央部から後端にかけては背面側に緩やかな山状に湾曲させて、側面視で緩やかなＳ字の形状にする。ルアーの横揺れの揺れ幅が大きくなり、波動やフラッシング効果もより大きくなる。【選択図】図５
0003188819.tif 000002
【実用新案登録請求の範囲】
【請求項１】
従来品である登録実用新案第３１８５９４１号の特徴に加え、本体背面の形状を先端部から中央部までは底面側に緩やかな山状に湾曲させ、中央部から後端にかけては背面側に緩やかな山状に湾曲させて、側面視で緩やかなＳ字の形状に形成し、従来品より横揺れや波動、フラッシング効果を強めたことを特徴とするメタルジグ。
【考案の詳細な説明】
【技術分野】
【０００１】  本考案は、メタルジグと称される金属で出来た釣り用ルアーに関するものである。
【背景技術】
【０００２】  従来品である登録実用新案第３１８５９４１号の、本体背面に浮力体を有したメタルジグは、上下の姿勢を維持したまま魚が好む左右の揺れを起こし、これまで釣りづらかった魚を釣ることができる優れたメタルジグであるが、潮の流れが緩慢な時などはメタルジグへの反応が悪い。これは、潮の動きが緩慢な時は魚の活性が低下していることが多いためである。そこで、従来品を改良してさらに動きや視覚効果を強め、さらに魚にアピールできるようにしたいと考えた。
【先行技術文献】
【特許文献】
【０００３】
【特許文献１】登録実用新案第３１８５９４１号
【考案の概要】
【考案が解決しようとする課題】
【０００４】  本考案の目的とするところは、従来品である登録実用新案第３１８５９４１号のメタルジグの形状を改良し、水中での動きを多様化させ、横揺れやフラッシング効果を強めてより魚にアピールをする、釣り用ルアーのメタルジグを提供しようとするものである。
【課題を解決するための手段】
【０００５】  上記目的を達成するために、本考案におけるメタルジグは、従来品の本体底面のキールの形状と背面に浮力体を有する状態を維持しつつ、本体背面の形状を先端部から中央部までは底面側に緩やかな山状に湾曲させ、中央部から後端にかけては背面側に緩やかな山状に湾曲させて、側面視で緩やかなＳ字の形状に形成した。また、上下の揺れを出しやすくさせるため、先端のアイを本体に対して垂直にした。
【考案の効果】
【０００６】  本考案のメタルジグは、従来品の背面の浮力体と底面のキール形状によって、上下の姿勢を維持しながら回転せずに左右の横揺れを起こす特徴に加えて、背面のＳ字形状が水流を受けて背面が押されたり押し上げられたりする上下の揺れが発生し、リトリーブ時に受ける水流を変化させるので複雑な動きをすることができる。これによって横揺れの揺れ幅も大きくなり、波動も大きくなった。この多様な動きによって本体に施された集魚効果のあるホログラムが従来品より複雑に光を乱反射し、より魚へアピールすることができる。【０００７】  使用方法は従来品と同様で、メタルジグを海底に着底させ、釣竿をゆっくり動かしながらリールでゆっくりと巻き上げてくるだけであるが、強いアピール力によって低活性時の魚にも効果的なメタルジグができた。
【図面の簡単な説明】
【図１】本考案のメタルジグの左側面図である。
【図２】本考案のメタルジグの背面図である。
【図３】本考案のメタルジグの底面図である。
【図４】本考案のメタルジグの正面図である。
【図５】本考案のメタルジグの実施例を示す斜視図である。
【考案を実施するための形態】
【０００８】  本考案の実施例を図で説明する。（本願中の説明は、登録実用新案第３１８５９４１号と同様の説明があるが、特徴をわかりやすく説明するために記載してある。）図１は本考案を実施したメタルジグの左側面図である。メタルジグは集魚効果のあるホログラムを両面に貼り付け、塗装を施したものである。本体背面の形状を先端部から中央部までは底面側に緩やかな山状に湾曲させ、中央部から後端にかけては背面側に緩やかな山状に湾曲させて、側面視で緩やかなＳ字の形状に形成した。この背面に比重の軽い素材Ａを貼り付けた。（比重の軽い素材Ａは斜線で記載した部分である。）
【０００９】  Ｃ１のアイが前側でラインを結ぶ側、Ｃ２のアイが後ろ側で針を付ける側となり、図５での実施例のようになる。先端のアイは本体が上下の揺れを発生しやすいように本体に対して垂直に配置した。底面のキールＢは、このＣ１のアイからＣ２のアイとの間において、キールＢが常に下を向くように重心を置いた。この重心は、海中で背面の比重の軽い素材によって常に下向きとなり、上下の姿勢を安定させる。
【００１０】  図２は背面図である。後方重心のしずく型にすることで、メタルジグを海底に沈める際にすばやく沈下し、巻き上げる際に水流を後方へ受け流しやすくした。
【００１１】  比重の軽い素材Ａは、メタルジグ背面の形状に合わせ、端の曲面を避けて貼り付けた。メタルジグの重量や材質によっては、底面の重心を保つために、比重の軽い素材Ａの大きさや質量、素材を変えることが望ましい。また、比重の軽い素材Ａには集魚効果となるものが付随しないため、比重の軽い素材Ａの上に集魚効果のあるホログラムや貝シートなどを同じ大きさで貼り付け、クリアー塗料で保護をした。
【００１２】  図３で底面のキールＢを説明する。キールＢは、水流を後方へ受け流し、左右の揺れを大きくさせるように底面の中心にキールを設けた。また、キールＢの中央部から後端にかけては背面側に緩やかな山状に湾曲させることで、乱流を発生させて横揺れしやすい形状にした。
【００１３】  図４はＣ１側からみた正面図である。比重の軽い素材Ａを貼り付け、底面には重心が下になるようにキールＢを設けたものである。
【００１４】  図５は実施例である。使用状態を明確にするため記載した。Ｃ１のアイにはＥのスプリットリングを付け、横揺れをＤのラインが干渉しないようにすることが望ましい。また、魚がかかる確率を上げるために、Ｃ１のアイへもＦの針を付けると釣果が良くなる。針の数は状況により１本もしくは２本使用する。この状態においてメタルジグを海中に落とし、着底させてから釣竿をゆっくり動かしながらリールでゆっくりと巻き上げてくることで横揺れと波動、上下の揺れの多様な動きをだし、本体に施された集魚効果のあるホログラムが複雑に光を乱反射し、より魚へアピールすることができる。
【符号の簡単な説明】
［Ａ］  比重の軽い素材
［Ｂ］  キール
［Ｃ１］前側のアイ
［Ｃ２］後側のアイ
［Ｄ］  ライン
［Ｅ］  スプリットリング
［Ｆ］  針
【図１】
0003188819.tif 000003
【図２】
0003188819.tif 000004
【図３】
0003188819.tif 000005
【図４】
0003188819.tif 000006
【図５】
0003188819.tif 000007
【手続補正書】
【提出日】平成25年11月12日(2013.11.12)
【手続補正１】
【補正対象書類名】実用新案登録請求の範囲
【補正対象項目名】全文
【補正方法】変更
【補正の内容】
【実用新案登録請求の範囲】
【請求項１】
主材料よりも比重の軽い素材を背面部に設けることで底面部のキールの重心を安定させて上下の姿勢を維持させ、ゆっくりとした釣竿やリールの操作で魚が好む独特な横揺れを起こす従来のルアーの、先端部から中央部までを底面側に緩やかな山状に湾曲させ、中央部から後端にかけては背面側に緩やかな山状に湾曲させて、側面視で緩やかなＳ字の形状にすることでルアーの横揺れの揺れ幅が大きくなり、波動やフラッシング効果も従来品より大きくなることを特徴とする釣り用ルアー。